(57)【要約】【課題】移動局装置側の通信状態に応じて、その移動局装置に割り当てる通信チャネルを適宜変更すること。【解決手段】各移動局装置１２は、通信品質測定部４４により測定されるサブチャネルごとの通信品質に基づいて、基地局装置１０からの割り当てを拒否するサブチャネルを判定するチャネル割当拒否判定部５０と、割り当てを拒否すると判定したサブチャネルを示す拒否チャネル情報（ＲＭＡＰ情報）を作成するＲＭＡＰ等作成部５２と、作成したＲＭＡＰ情報を基地局装置１０に通知する送信部５４と、を含む。基地局装置１０は、各移動局装置１２から通知されるＲＭＡＰ情報を取得するＲＭＡＰ等取得部２６と、取得したＲＭＡＰ情報と各移動局装置１２に割り当てたサブチャネルを示す割当チャネル情報（ＭＡＰ情報）とに基づいて、各移動局装置１２に割り当てるサブチャネルを変更するか否かを決定するサブチャネル割当部３２と、を含む。【選択図】図２
2008072285.tif 000002
【特許請求の範囲】
【請求項１】
基地局装置と複数の移動局装置とを含み、
前記基地局装置は、複数の通信チャネルのうち前記各移動局装置に割り当てる少なくとも一部の通信チャネルを決定するチャネル割当手段を含むとともに、該チャネル割当手段により決定される通信チャネルを示す割当チャネル情報を前記各移動局装置に通知し、
前記各移動局装置は、前記割当チャネル情報に係る通信チャネルを用いて前記基地局装置と通信を行う、
移動体通信システムであって、
前記各移動局装置は、
前記基地局装置との通信状態を示す情報に基づいて、前記複数の通信チャネルのうち前記基地局装置からの割り当てを拒否する通信チャネルを判定するチャネル割当拒否判定手段と、
前記複数の通信チャネルのうち前記基地局装置からの割り当てを拒否する通信チャネルを示す拒否チャネル情報を前記基地局装置に通知する拒否チャネル情報通知手段と、
を含み、
前記チャネル割当手段は、前記各移動局装置から通知される拒否チャネル情報と該移動局装置に通知した割当チャネル情報とに基づいて、前記各移動局装置に割り当てる通信チャネルを変更するか否かを決定する、
ことを特徴とする移動体通信システム。
【請求項２】
請求項１に記載の移動体通信システムにおいて、
前記基地局装置との通信状態を示す情報は、前記複数の通信チャネルそれぞれに係る通信品質である、
ことを特徴とする移動体通信システム。
【請求項３】
請求項１または２に記載の移動体通信システムにおいて、
前記基地局装置との通信状態を示す情報は、少なくとも前記基地局装置に送信するデータの量であって、
前記拒否チャネル情報通知手段は、前記基地局装置に送信するデータの量を示す送信データ量情報を前記基地局装置にさらに通知し、
前記チャネル割当手段は、前記各移動局装置から通知される送信データ量情報と該移動局装置に送信するデータの量とにさらに基づいて、前記各移動局装置に割り当てる通信チャネルを変更するか否かを決定する、
ことを特徴とする移動体通信システム。
【請求項４】
複数の通信チャネルのうち基地局装置から通知される少なくとも一部の通信チャネルを用いて該基地局装置と通信を行う移動局装置であって、
前記基地局装置との通信状態を示す情報に基づいて、前記複数の通信チャネルのうち前記基地局装置からの割り当てを拒否する通信チャネルを判定するチャネル割当拒否判定手段と、
前記複数の通信チャネルのうち前記基地局装置からの割り当てを拒否する通信チャネルを示す拒否チャネル情報を前記基地局装置に通知する拒否チャネル情報通知手段と、
を含むことを特徴とする移動局装置。
【請求項５】
複数の通信チャネルのうち複数の移動局装置それぞれに割り当てる少なくとも一部の通信チャネルを決定するチャネル割当手段を含み、該チャネル割当手段により決定される通信チャネルを示す割当チャネル情報を前記各移動局装置に通知する基地局装置であって、
前記チャネル割当手段は、前記各移動局装置から通知される前記複数の通信チャネルのうち該移動局装置が割り当てを拒否する通信チャネルを示す拒否チャネル情報と、該移動局装置に通知した割当チャネル情報と、に基づいて、前記各移動局装置に割り当てる通信チャネルを変更するか否かを決定する、
ことを特徴とする基地局装置。
【請求項６】
基地局装置と複数の移動局装置とを含み、
前記基地局装置は、複数の通信チャネルのうち前記各移動局装置に割り当てる少なくとも一部の通信チャネルを決定するチャネル割当ステップを含むとともに、該チャネル割当ステップにおいて決定される通信チャネルを示す割当チャネル情報を前記各移動局装置に通知し、
前記各移動局装置は、前記割当チャネル情報に係る通信チャネルを用いて前記基地局装置と通信を行う、
移動体通信システムにおけるチャネル割当方法であって、
前記各移動局装置は、
前記基地局装置との通信状態を示す情報に基づいて、前記複数の通信チャネルのうち前記基地局装置からの割り当てを拒否する通信チャネルを判定するチャネル割当拒否判定ステップと、
前記複数の通信チャネルのうち前記基地局装置からの割り当てを拒否する通信チャネルを示す拒否チャネル情報を前記基地局装置に通知する拒否チャネル情報通知ステップと、
を含み、
前記チャネル割当ステップは、前記各移動局装置から通知される拒否チャネル情報と前記各移動局装置に通知した割当チャネル情報とに基づいて、前記各移動局装置に割り当てる通信チャネルを変更するか否かを決定する、
ことを特徴とするチャネル割当方法。
【発明の詳細な説明】
【技術分野】
【０００１】
本発明は、移動体通信システム、基地局装置、移動局装置、およびチャネル割当方法に関し、特に、通信中にチャネルの割り当てを変更する移動体通信システム、基地局装置、移動局装置、およびチャネル割当方法に関する。
【背景技術】
【０００２】
マルチチャネル通信方式は、複数の通信チャネルを用いて高レートのデータ伝送を行う方式である。同方式を適用した移動体通信システムでは、複数の移動局装置それぞれが、基地局装置により指定される複数の通信チャネルを用いて、基地局装置と通信を行う。
【０００３】
たとえば、ＷｉＭＡＸ（登録商標）は、ＯＦＤＭＡ（Orthogonal Frequency Division Multiple Access：直交周波数分割多元接続）方式とＴＤＤ（Time Division Duplex：時分割双方向）方式とを組み合わせたマルチチャネル通信方式の一つであり、同方式による各通信チャネル（サブチャネルと呼ばれる。）は、所定数の連続するサブキャリアとタイムスロットとの組み合わせにより規定される。
【０００４】
ＷｉＭＡＸを適用した移動体通信システムでは、各移動局装置が使用するサブチャネルは、基地局装置がＴＤＤフレームごとに通知するＭＡＰ情報により指定される。ＭＡＰ情報とは、それが通知された次のＴＤＤフレームで使用する複数のサブチャネルを示すビット列である。このため、ＭＡＰ情報を変更するだけで、通信中でも移動局装置に割り当てるサブチャネルを柔軟に変更することができるようになっている。
【０００５】
また、下記特許文献１には、基地局サブシステムにおいて、データ送信の変更の必要性などに基づいて、各ユーザへの無線資源（通信チャネル）の割り当てを柔軟かつ動的に制御する技術が開示されている。
【特許文献１】特開平１０−１９０６２１号公報
【発明の開示】
【発明が解決しようとする課題】
【０００６】
しかし、マルチチャネル通信方式を適用した従来の移動体通信システムでは、移動局装置の方から、基地局装置より通知された通信チャネルの受け入れを拒否したり、基地局装置に対して受け入れ可能な通信チャネルを通知したりすることはできなかった。
【０００７】
そのため、移動局装置は、たとえば、送信データの増減に応じて、使用する通信チャネルの数を変更することはできなかった。また、下り方向（基地局装置から移動局装置に向かう方向）の電波伝搬状況が悪化しても、品質の低下した通信チャネルの割り当てを拒否したり、新たな通信チャネルの割り当てを要求したりすることはできなかった。そのため、かかる移動局装置側の電波干渉を防ぐために、セル設計を工夫するなど他の解決手段が必要となる場合があった。
【０００８】
なお、従来のＰＨＳ（Personal Handy-phone System）では、移動局装置が基地局装置から指定された通信チャネルについてキャリアセンス（妨害波測定）を実施し、その測定結果に基づいてチャネルの受け入れ許否を判断しているが、同様の方法をマルチチャネル通信方式による移動体通信システムに適用するのは現実的でない。同方式では、１の移動局装置に対して複数の通信チャネルを割り当てるため、各通信チャネルについてキャリアセンスを実行すると、接続開始時やチャネル変更時のチャネル割当処理に膨大な時間を要することになるからである。
【０００９】
本発明は、上記従来の課題に鑑みてなされたものであり、移動局装置側の通信状態に応じて、その移動局装置に割り当てる通信チャネルを適宜変更することができる移動体通信システム、基地局装置、移動局装置、およびチャネル割当方法を提供することを目的とする。
【課題を解決するための手段】
【００１０】
上記目的を達成するために、本発明に係る移動体通信システムは、基地局装置と複数の移動局装置とを含み、前記基地局装置は、複数の通信チャネルのうち前記各移動局装置に割り当てる少なくとも一部の通信チャネルを決定するチャネル割当手段を含むとともに、該チャネル割当手段により決定される通信チャネルを示す割当チャネル情報を前記各移動局装置に通知し、前記各移動局装置は、前記割当チャネル情報に係る通信チャネルを用いて前記基地局装置と通信を行う、移動体通信システムであって、前記各移動局装置は、前記基地局装置との通信状態を示す情報に基づいて、前記複数の通信チャネルのうち前記基地局装置からの割り当てを拒否する通信チャネルを判定するチャネル割当拒否判定手段と、前記複数の通信チャネルのうち前記基地局装置からの割り当てを拒否する通信チャネルを示す拒否チャネル情報を前記基地局装置に通知する拒否チャネル情報通知手段と、を含み、前記チャネル割当手段は、前記各移動局装置から通知される拒否チャネル情報と該移動局装置に通知した割当チャネル情報とに基づいて、前記各移動局装置に割り当てる通信チャネルを変更するか否かを決定することを特徴としている。
【００１１】
本発明によれば、移動局装置は、基地局装置との通信状態に応じて、基地局装置からの割り当てを拒否する通信チャネルを判定するとともに、該割り当てを拒否すると判定した通信チャネルを含む拒否チャネル情報を基地局装置に通知する。基地局装置は、移動局装置から通知される拒否チャネル情報と該移動局装置に通知した割当チャネル情報とに基づいて、該移動局装置に割り当て通信チャネルを変更するか否かを決定する。このため、移動局装置側の通信状態に応じて、その移動局装置に割り当てる通信チャネルを適宜変更することができる。
【００１２】
また、前記基地局装置との通信状態を示す情報は、前記複数の通信チャネルそれぞれに係る通信品質であってもよい。こうすれば、移動局装置により測定される複数の通信チャネルそれぞれの通信品質に基づいて、その移動局装置に割り当てる通信チャネルを変更できるようになる。
【００１３】
また、前記基地局装置との通信状態を示す情報は、少なくとも前記基地局装置に送信するデータの量であってもよく、前記拒否チャネル情報通知手段は、前記基地局装置に送信するデータの量を示す送信データ量情報を前記基地局装置にさらに通知し、前記チャネル割当手段は、前記各移動局装置から通知される送信データ量情報と該移動局装置に送信するデータの量とにさらに基づいて、前記各移動局装置に割り当てる通信チャネルを変更するか否かを決定してもよい。こうすれば、たとえば、上り・下りとも同じ伝送帯域を有する通信方式を適用する移動体通信システムにおいて、移動局装置から基地局装置への送信データ量のみに基づいて、基地局装置から移動局装置への伝送帯域（通信チャネルの数）が変更されてしまうという不都合が生じなくなる。
【００１４】
また、本発明に係る移動局装置は、複数の通信チャネルのうち基地局装置から通知される少なくとも一部の通信チャネルを用いて該基地局装置と通信を行う移動局装置であって、前記基地局装置との通信状態を示す情報に基づいて、前記複数の通信チャネルのうち前記基地局装置からの割り当てを拒否する通信チャネルを判定するチャネル割当拒否判定手段と、前記複数の通信チャネルのうち前記基地局装置からの割り当てを拒否する通信チャネルを示す拒否チャネル情報を前記基地局装置に通知する拒否チャネル情報通知手段と、を含むことを特徴としている。
【００１５】
また、本発明に係る基地局装置は、複数の通信チャネルのうち複数の移動局装置それぞれに割り当てる少なくとも一部の通信チャネルを決定するチャネル割当手段を含み、該チャネル割当手段により決定される通信チャネルを示す割当チャネル情報を前記各移動局装置に通知する基地局装置であって、前記チャネル割当手段は、前記各移動局装置から通知される前記複数の通信チャネルのうち該移動局装置が割り当てを拒否する通信チャネルを示す拒否チャネル情報と、該移動局装置に通知した割当チャネル情報と、に基づいて、前記各移動局装置に割り当てる通信チャネルを変更するか否かを決定することを特徴としている。
【００１６】
また、本発明に係るチャネル割当方法は、基地局装置と複数の移動局装置とを含み、前記基地局装置は、複数の通信チャネルのうち前記各移動局装置に割り当てる少なくとも一部の通信チャネルを決定するチャネル割当ステップを含むとともに、該チャネル割当ステップにおいて決定される通信チャネルを示す割当チャネル情報を前記各移動局装置に通知し、前記各移動局装置は、前記割当チャネル情報に係る通信チャネルを用いて前記基地局装置と通信を行う、移動体通信システムにおけるチャネル割当方法であって、前記各移動局装置は、前記基地局装置との通信状態を示す情報に基づいて、前記複数の通信チャネルのうち前記基地局装置からの割り当てを拒否する通信チャネルを判定するチャネル割当拒否判定ステップと、前記複数の通信チャネルのうち前記基地局装置からの割り当てを拒否する通信チャネルを示す拒否チャネル情報を前記基地局装置に通知する拒否チャネル情報通知ステップと、を含み、前記チャネル割当ステップは、前記各移動局装置から通知される拒否チャネル情報と前記各移動局装置に通知した割当チャネル情報とに基づいて、前記各移動局装置に割り当てる通信チャネルを変更するか否かを決定することを特徴としている。
【発明を実施するための最良の形態】
【００１７】
以下、本発明の一実施形態を図面に基づいて詳細に説明する。
【００１８】
図１は、本発明の一実施形態に係る移動体通信システムの全体構成図である。同図に示すように、移動体通信システム１は、基地局装置１０と複数の移動局装置１２（ここでは３つとする。）を含んで構成されている。
【００１９】
各移動局装置１２は、基地局装置１０と無線通信を行うものであり、たとえば可搬型の携帯電話機や携帯情報端末である。ここでは、ＴＤＤ方式により基地局装置１０とデータの送受信を行い、またＴＤＭＡ方式およびＯＦＤＭＡ方式により多重通信を行う。さらに、基地局装置１０は、後述するようにアダプティブアレイアンテナを備えており、このアダプティブアレイアンテナを用いて、同一のタイムスロットおよび同一のキャリア周波数において、複数の移動局装置１２のそれぞれと空間分割多重（ＳＤＭＡ：Space Division Multiple Access）方式による多重通信を行う。こうして、きわめて高い周波数利用効率で複数の移動局装置１２と双方向通信を行うようにしている。
【００２０】
図３は、ＴＤＭＡ／ＴＤＤによるタイムスロット構成（１ＴＤＭＡフレーム分）およびＯＦＤＭＡによるサブチャネル構成の一例を示す図である。同図に示すように、ダウンリンク（基地局装置１０から移動局装置１２に向かう無線伝送路）およびアップリンク（移動局装置１２から基地局装置１０に向かう無線伝送路）は、それぞれ４つのタイムスロットから構成されている。また、各タイムスロットは、それぞれ２８のサブチャネルから構成されており、そのうち１つは制御チャネル（ＣＣＨ：Control Channel）として、残りの２７サブチャネルは通信チャネル（ＴＣＨ：Traffic Channel）として使用される。
【００２１】
基地局装置１０は、ダウンリンクおよびアップリンクそれぞれにおいて、通信チャネルとして使用される計１０８のサブチャネル（２７サブチャネル×４スロット）のうち少なくとも一部のサブチャネルを各移動局装置１２に割り当てる。具体的には、図３に示すように、後述する１つのアンカーサブチャネル（ＡＳＣＨ：Anchor Sub Channel）と、１または複数のエクストラサブチャネル（ＥＳＣＨ：Extra Sub Channel）を各移動局装置１２に割り当てる。各移動局装置１２は、基地局装置１０により割り当てられた上記複数のサブチャネルを用いて、基地局装置１０と通信を行う。なお、同図に示すように、スロット番号の対応するダウンリンクスロットとアップリンクスロット（ＤＬ＃１とＵＬ＃１、ＤＬ＃２とＵＬ＃２、・・・）には、ＡＳＣＨ、ＥＳＣＨが対称的に割り当てられる。また、割り当てられるＥＳＣＨの数は、ＱｏＳ（Quality of Service：サービス品質）などを考慮することにより、ある時点で０となる場合がある。
【００２２】
ここで、基地局装置１０が各移動局装置１２に１つのＡＳＣＨと１または複数のＥＳＣＨを割り当てる処理について説明する。
【００２３】
図６は、基地局装置１０と移動局装置１２との間の通信に係る一連の処理を示すシーケンス図である。通信を開始するにあたり、移動局装置１２は、図３に示すＣＣＨ（制御チャネル）を用いて、基地局装置１０にリンク確立要求を送信する（Ｓ１００）。基地局装置１０は、移動局装置１２からのリンク確立要求に応じて、その移動局装置１２に割り当てる１つのＡＳＣＨを選出する（Ｓ１０２）。ＡＳＣＨは、後述するように、次ＴＤＭＡフレームにおいて各移動局装置１２に割り当てる１または複数のＥＳＣＨを示すＭＡＰ情報（割当サブチャネル情報）の通知に用いるサブチャネルであるため、伝送誤り率が低い方が望ましい。そのため、基地局装置１０は、キャリアセンス結果に基づいて、空きサブチャネルのうち最も妨害波の少ない、すなわち最も通信品質の良いサブチャネルをＡＳＣＨとして選出する。なお、基地局装置１０は、通信に使用していない空きサブチャネルにおいて必要に応じてキャリアセンスを実施し、測定結果を更新している。
【００２４】
次に、基地局装置１０は、ＣＣＨを用いて、Ｓ１０２において選出したＡＳＣＨを示すスロット番号とサブチャネル番号とを含むリンク確立応答を移動局装置１２に送信する（Ｓ１０４）。移動局装置１２は、リンク確立応答を受信すると、それに含まれるスロット番号とサブチャネル番号とにより特定されるサブチャネルにおいて、キャリアセンスを実施する（Ｓ１０６）。キャリアセンスの結果、そのサブチャネルがＡＳＣＨに必要な通信品質を有する判断されると、移動局装置１２は、ＡＳＣＨの割り当てを承諾し、引き続いてＥＳＣＨの割り当てを要求するＲＣＨ（Ranging Channel）情報を、当該ＡＳＣＨを用いて基地局装置１０に送信する（Ｓ１０８）。ＲＣＨ情報は、移動局装置１２が割り当てを希望するＥＳＣＨの数（最大１０７サブチャネル）を示す情報である。一方、Ｓ１０６におけるキャリアセンスの結果、Ｓ１０４において通知されたサブチャネルがＡＳＣＨに必要な通信品質を有しないと判断されると、ＡＳＣＨの割り当てを拒否すべく、ＣＣＨを用いて、再度リンク確立要求を送信する（Ｓ１００）。
【００２５】
基地局装置１０は、移動局装置１２から通知されるＲＣＨ情報に応じて、その移動局装置１２に割り当てるＥＳＣＨを選出する（Ｓ１１０）。具体的には、キャリアセンス結果に基づいて、所定の通信品質を有する空きサブチャネルの中からＲＣＨ情報が示す数のＥＳＣＨを選出する。
【００２６】
移動局装置１２に割り当てる１または複数のＥＳＣＨを選出すると、基地局装置１０は、それら各ＥＳＣＨを示すＭＡＰ情報を、ＡＳＣＨを用いて移動局装置１２に送信する（Ｓ１１２）。ＭＡＰ情報は、それを受信した次のＴＤＭＡフレーム（次のアップリンクフレームおよびダウンリンクフレーム）で使用する１または複数のＥＳＣＨを示す１０８ビットからなるビット列である。具体的には、次ＴＤＭＡフレームにおいて当該移動局装置１２に割り当てるＥＳＣＨに対応するビットを“１”で示し、その他のサブチャネル（ＡＳＣＨ、他の移動局装置１２に割り当てるＥＳＣＨ、および空きサブチャネル）に対応するビットを“０”で示すものである。
【００２７】
移動局装置１２は、Ｓ１０４において通知されたＡＳＣＨとＳ１１２において通知されたＭＡＰ情報により特定される１または複数のＥＳＣＨとを用いて、次ＴＤＭＡフレームにおける、すなわち、アップリンク（Ｓ１１４）およびダウンリンク（Ｓ１１６）におけるデータの送受信を行う。なお、Ｓ１１６以降の処理シーケンスは後述する。
【００２８】
このように、移動体通信システム１では、通信開始時に、基地局装置１０において最も通信品質の良い空きサブチャネルがＡＳＣＨとして割り当てられ、以後通信が終了するまでそのＡＳＣＨが維持される。一方、当該ＡＳＣＨを用いてＴＤＭＡフレームごとに基地局装置１０から送信されるＭＡＰ情報は、次ＴＤＭＡフレームにおける通信で使用する１または複数のＥＳＣＨを示すものであるため、ＭＡＰ情報を更新することにより、ＴＤＭＡフレームごとに割り当てるＥＳＣＨを変更することが可能となっている。なお、基地局装置１０は、ＱｏＳなどを考慮することにより、ある時点で割り当てるＥＳＣＨの数を０とする場合がある。
【００２９】
次に、移動局装置１２から基地局装置１０に送信されるデータの構成について説明する。図４は、アップリンクにおけるＰＨＹ（Physical Layer）フレーム構成の一例を示す図である。１ＰＨＹフレーム分のデータは、１ＴＤＭＡフレームで送信される。具体的には、各ＴＤＭＡフレームにおける１つのＡＳＣＨと１または複数のＥＳＣＨに係る各ＳＣＨ（Sub Channel）ペイロードに分配して送信される。図４に示すように、ＰＨＹフレームは、ＲＣＨ、Ｖ、ＲＭＡＰなどを含むＰＨＹヘッダと、ＰＨＹペイロードなどを含む複数のＰＨＹデータユニットとから構成されている。ここで、ＲＣＨは、移動局装置１２が割り当てを希望するＥＳＣＨの数を示すＲＣＨ情報を格納する領域である。Ｖは、当該アップリンクにおけるＰＨＹデータを含むサブチャネルの数を示すＶビット（たとえば７ビットのビット列）を格納する領域であり、ＰＨＹデータがない場合には“０”が入る。ＲＭＡＰ（Refuse MAP）は、ＭＡＰ情報（割当チャネル情報）と同サイズのＲＭＡＰ情報（拒否チャネル情報）を格納する領域である。図５は、ＲＭＡＰ情報の一例を示す図である。同図に示すように、ＲＭＡＰ情報（拒否サブチャネル情報）は、次ＴＤＭＡフレームにおいて基地局装置１０からの割り当てを拒否するＥＳＣＨを示す１０８ビットからなるビット列であり、割り当てを拒否するＥＳＣＨに対応するビットを“１”で示し、その他のビットを“０”で示すものである。
【００３０】
本実施形態において特徴的なことの一つは、各移動局装置１２から通知されるＲＭＡＰ情報に基づいて、基地局装置１０がその移動局装置１２に割り当てるＥＳＣＨを変更するか否かを柔軟に決定することである。すなわち、移動局装置１２は、基地局装置１０から割り当てられた各ＥＳＣＨにおける通信品質や基地局装置１０に送信するデータの量などに応じて、割り当てを拒否するＥＳＣＨを選出し、それを示すＲＭＡＰ情報を作成する。たとえば、ＲＭＡＰ情報において、所定の通信品質を有しないＥＳＣＨに対応するビットを“１”とする。あるいは、基地局装置１０に送信するデータの量が減少した場合、送信に必要なＥＳＣＨだけを残し、その他のＥＳＣＨについては割り当てを解除すべく対応するビットを“１”とする。少なくとも一部に“１”を含むＲＭＡＰ情報が基地局装置１０に通知されると、基地局装置１０は、前ＴＤＭＡフレーム（ダウンリンク）で送信したＭＡＰ情報と現ＴＤＭＡフレーム（アップリンク）で移動局装置１２から通知されたＲＭＡＰ情報とに基づいて、次ＴＤＭＡフレームにおいて割り当てるＥＳＣＨを変更（減縮）するか否かを決定する。そして、その結果に基づいて新たなＭＡＰ情報を作成し、移動局装置１２に通知する。こうして、移動局装置１２側の通信状態に応じて、その移動局装置１２に割り当てるＥＳＣＨを適宜変更することが可能となっている。
【００３１】
以下では、基地局装置１０および移動局装置１２の構成・動作について説明する。
【００３２】
図２は、基地局装置１０および移動局装置１２の機能ブロック図である。同図に示すように、基地局装置１０は、アダプティブアレイアンテナ２０、受信部２２、キャリアセンス処理部２４、ＲＭＡＰ等取得部２６、ＭＡＰ記憶部２８、送信データ量取得部３０、サブチャネル割当部３２、ＭＡＰ作成部３４、送信部３６を含んで構成されている。
【００３３】
アダプティブアレイアンテナ２０は、複数のアンテナの配列であり、各移動局装置１２から送信される無線信号を各アンテナで受信し、受信した信号を受信部２２に出力する。また、送信部３６から入力される信号を各アンテナから送信するものである。なお、受信および送信は、時分割で切り替えられる。
【００３４】
受信部２２は、ローノイズ増幅器、ダウンコンバータ、空間分割処理部、時分割処理部、シンボル同期部、Ａ／Ｄコンバータ、ＦＦＴ（Fast Fourier Transform：高速フーリエ変換）部、チャネル等推定部、デマッピング部を含んで構成されており、アダプティブアレイアンテナ２０で受信される無線信号から、各移動局装置１２からの受信データを分離抽出するものである。
【００３５】
すなわち、アダプティブアレイアンテナ２０から入力される信号は、空間分割多重（ＳＤＭＡ）、時分割多重（ＴＤＭＡ）、および直交周波数分割多重（ＯＦＤＭＡ）されたものであるため、受信部２２は、入力信号を増幅およびダウンコンバートした後に、アダプティブアレイアンテナ２０のウェイト制御に係る空間分割処理および時分割処理を施す。次に、分離された信号に対してシンボル同期およびガードインターバル（ＧＩ：Guard Interval）信号の除去などを行い、ベースバンドＯＦＤＭ信号を得る。ベースバンドＯＦＤＭ信号をＡ／Ｄ変換した後、ＦＦＴ部においてＦＦＴを行い、ＯＦＤＭシンボルの各サブキャリア成分を得る。そして、所定のチャネル推定処理などを施した後に、サブチャネル割当部３２によるサブチャネルの割当状況を参照して、各移動局装置１２に対応するサブキャリア成分を結合してシンボル列を生成する。さらに、そのシンボル列を復号して各移動局装置１２からの受信データを得る。こうして得られた各受信データは、ＲＭＡＰ等取得部２６および図示しない上位装置に出力される。
【００３６】
キャリアセンス処理部２４は、通信に使用していない空きサブチャネルにおいて随時キャリアセンスを行うものである。具体的には、アダプティブアレイアンテナ２０において受信される信号を受信部２２を介して取得し、サブチャネル割当部３２によるサブチャネルの割当状況を参照して、空きサブチャネルにおける受信信号強度（ＲＳＳＩ：Receive Signal Strength Indication）を測定する。各空きサブチャネルにおけるＲＳＳＩは、そのサブチャネルにおける妨害波の強度を示すため、この値が小さいサブチャネルほど、より良好な通信品質を有しているといえる。
【００３７】
ＲＭＡＰ等取得部２６は、受信部２２から入力される各移動局装置１２からの受信データよりＲＭＡＰ情報などを取得し、サブチャネル割当部３２に出力するものである。すなわち、各移動局装置１２からの受信データは、図４に示すＰＨＹフレーム構成に従ったデータ構造を有しており、ＲＭＡＰ等取得部２６は、ＴＤＭＡフレームごとに、各受信データのＰＨＹヘッダから、ＲＭＡＰ情報、Ｖビット、ＲＣＨ情報などを取得し、これらの情報をサブチャネル割当部３２に出力する。
【００３８】
ＭＡＰ記憶部２８は、ＭＡＰ作成部３４が作成する最新のＭＡＰ情報を、通信中の移動局装置１２ごとに記憶するものである。
【００３９】
送信データ量取得部３０は、図示しない上位装置から入力される送信データに基づいて、基地局装置１０が次ＴＤＭＡフレームで各移動局装置１２に送信するデータの量を取得するものである。
【００４０】
サブチャネル割当部３２は、各移動局装置１２からのリンク確立要求に応じて、１０８のサブチャネルの中から、その移動局装置１２に割り当てる１つのＡＳＣＨを選出する。すなわち、キャリアセンス処理部２４により実施されるキャリアセンスの結果に基づいて、空きサブチャネルのうち最も通信品質の良い（最もＲＳＳＩの小さい）サブチャネルをＡＳＣＨとして選出する。選出されたＡＳＣＨを示すスロット番号およびサブチャネル番号は、ＣＣＨを用いて、送信部３６から各移動局装置１２に送信される。
【００４１】
また、サブチャネル割当部３２は、各移動局装置１２からＥＳＣＨの割り当てを要求するＲＣＨ情報が通知されると、それに応じて、上記ＡＳＣＨを除く１０７のサブチャネルの中から、当該移動局装置１２に割り当てる１または複数のＥＳＣＨを選出する。具体的には、キャリアセンス処理部２４によるキャリアセンスの結果に基づいて、所定の通信品質を有する（ＲＳＳＩが所定値未満である）空きサブチャネルの中から、ＲＣＨ情報が示す数のサブチャネルをＥＳＣＨとして選出する。なお、所定の通信品質を有する空きサブチャネルの数がＲＣＨ情報が示す数に満たない場合は、割り当て可能な数のサブチャネルだけを選出する。選出された１または複数のＥＳＣＨを示すＭＡＰ情報は、ＡＳＣＨを用いて、送信部３６から各移動局装置１２に送信される。
【００４２】
さらに、サブチャネル割当部３２は、各移動局装置１２から割り当てを拒否するＥＳＣＨを示すＲＭＡＰ情報が通知されると、通知されたＲＭＡＰ情報とＭＡＰ記憶部２８に記憶される当該移動局装置１２の最新のＭＡＰ情報（前ＴＤＭＡフレームで当該移動局装置１２に通知したＭＡＰ情報）とに基づいて、当該移動局装置１２に割り当てるＥＳＣＨを変更するか否かを決定する。
【００４３】
ＭＡＰ情報は、前述のとおり、次ＴＤＭＡフレーム（次のアップリンクフレームおよびダウンリンクフレーム）で使用するＥＳＣＨを“１”で示す１０８ビットのビット列であり、ＲＭＡＰ情報は、移動局装置１２が割り当てを拒否するＥＳＣＨを“１”で示す１０８ビットのビット列である。また、ＭＡＰ情報におけるビットとサブチャネルとの対応関係は、ＲＭＡＰ情報におけるそれと同じである。そのため、サブチャネル割当部３２は、ＭＡＰ情報とＲＭＡＰ情報の両ビット列において対応するビットが“１”であるＥＳＣＨ（基地局装置１０が一度割り当てたが、移動局装置１２によりその割り当てを拒否されたＥＳＣＨ）について、当該移動局装置１２への割り当てを解除するか否かを判断する。原則的には、ＲＭＡＰ情報に従って、その移動局装置１２に割り当てるＥＳＣＨを減縮する。
【００４４】
ただし、サブチャネル割当部３２は、ＲＭＡＰ等取得部２６からＲＭＡＰ情報とともに入力されるＶビットが“１”である場合には、送信データ量取得部３０から取得した送信データ量（次ＴＤＭＡフレームで移動局装置１２に送信するデータの量）にさらに基づいて、当該移動局装置１２に割り当てるＥＳＣＨを変更（減縮）するか否かを決定する。Ｖビットが“１”である場合とは、当該アップリンクにおけるＰＨＹペイロードのサイズが０であり、移動局装置１２が基地局装置１０に送信するデータがない場合である。すなわち、Ｖビットが“１”である場合、移動局装置１２は、以降の送信に必要となるＥＳＣＨだけを残し、その他のＥＳＣＨの割り当てを解除すべく、解除するＥＳＣＨに対応するビットを“１”としたＲＭＡＰ情報を作成し、基地局装置１０に通知している可能性がある。しかしながら、図３に示すように、サブチャネル割当部３２が割り当てるＥＳＣＨは、アップリンクおよびダウンリンクにおけるデータ伝送に共通して用いられるものであるため、すなわち、アップリンクとダウンリンクは同じ伝送帯域を有するため、かかる場合に、ＲＭＡＰ情報のみに従って、当該移動局装置１２に割り当てるＥＳＣＨ数を減らすと、基地局装置１０から移動局装置１２に送信するデータの量が減らしたＥＳＣＨ数による送信容量（ダウンリンク伝送帯域）を超えてしまうことがある。そこで、サブチャネル割当部３２は、Ｖビットが“１”である場合、ＲＭＡＰ情報のみならず、基地局装置１０が次ＴＤＭＡフレームで移動局装置１２に送信するデータの量にも基づいて、割り当てるＥＳＣＨを減縮するか否かを決定する。こうすれば、ダウンリンクとアップリンクが同じ伝送帯域を有する移動体通信システムにおいて、アップリンクにおける通信データのみが減少した場合に、アップリンクの伝送帯域だけでなくダウンリンクの伝送帯域までもが減らされてしまうという不都合が生じなくなる。なお、Ｖビットは、アップリンクにおけるＰＨＹペイロードのサイズ（移動局装置１２が基地局装置１０に送信するデータの量）を示す情報であってもよい。
【００４５】
ＭＡＰ作成部３４は、サブチャネル割当部３２により各移動局装置１２に割り当てられる１または複数のＥＳＣＨを示すＭＡＰ情報を作成し、送信部３６に出力するものである。具体的には、１０８のサブチャネルのうち、次ＴＤＭＡフレームで当該移動局装置１２に割り当てるＥＳＣＨに対応するビットを“１”とし、その他のビット“０”とした１０８ビットのビット列をＭＡＰ情報として作成する。なお、作成されたＭＡＰ情報は、ＭＡＰ記憶部２８にも出力され、通信中の移動局装置１２ごとに記憶される。
【００４６】
送信部３６は、シンボルマッピング部、ＩＦＦＴ（Inverse Fast Fourier Transform：逆高速フーリエ変換）部、Ｄ／Ａコンバータ、時分割多重処理部、空間分割多重処理部、アップコンバータ、増幅器を含んで構成されており、図示しない上位装置から入力される各移動局装置１２への送信データを所定のダウンリンク用ＰＨＹフレーム構成に整形するとともに、整形された各送信データに応じた送信信号を生成し、アダプティブアレイアンテナ２０に出力するものである。
【００４７】
すなわち、送信データを複数のＰＨＹペイロードに分配し、それらＰＨＹペイロードを結合してなるＰＨＹデータユニットに、ＭＡＰ作成部３４から入力されるＭＡＰ情報を含むＰＨＹヘッダを付加して所定のＰＨＹフレームを構成する。次に、そのＰＨＹフレームに係るデータを、サブチャネル割当部３２によるサブチャネルの割当状況を参照して、１つのＡＳＣＨと現ＴＤＭＡフレームにおける１または複数のＥＳＣＨに係る複数のサブチャネルペイロードに分割し、サブチャネルごとの送信データを生成する。この際、ＭＡＰ情報を含むデータ列はＡＳＣＨに係るサブチャネルペイロードに割り当てられる。続いて、生成した当該各サブチャネルの送信データをシンボルマッピングによりシンボル列に変換し、当該シンボル列を当該サブチャネルの各サブキャリアに分配する。そして、ＩＦＦＴ部においてＩＦＦＴを行い、Ｄ／Ａ変換してベースバンドＯＦＤＭ信号に得る。さらに、このベースバンドＯＦＤＭ信号にガードインターバル信号を付加し、時分割多重処理およびアダプティブアレイアンテナ２０のウェイト制御に係る空間分割多重処理を施した信号を生成する。最後に、生成された信号を無線信号にアップコンバートし、送信出力レベルにまで増幅して、アダプティブアレイアンテナ２０に供給する。
【００４８】
次に、移動局装置１２の各機能ブロックを説明する。図２に示すように、移動局装置１２は、アンテナ４０、受信部４２、通信品質測定部４４、ＭＡＰ取得部４６、送信データ量取得部４８、サブチャネル割当拒否判定部５０、ＲＭＡＰ等作成部５２、送信部５４を含んで構成されている。
【００４９】
受信部４２は、ローノイズ増幅器、ダウンコンバータ、シンボル同期部、Ａ／Ｄコンバータ、ＦＦＴ部、チャネル等推定部、デマッピング部を含んで構成されており、アンテナ４０で受信される無線信号から基地局装置１０からの受信データを取得するものである。取得された受信データは、ＭＡＰ取得部４６および図示しない上位レイヤに出力される。なお、受信部４２における処理内容は、空間分割処理および時分割処理を除いて基地局装置１０の受信部２２における処理内容とほぼ共通するため、ここでは詳細な説明を割愛する。
【００５０】
通信品質測定部４４は、通信チャネルとして使用される最大１０８のサブチャネルそれぞれの通信品質を測定するものである。具体的には、ＴＤＭＡフレームごとに、アンテナ４０において受信される信号と、通信に使用中の各ＥＳＣＨ（ＭＡＰ取得部４６から取得される前ＴＤＭＡフレームのＭＡＰ情報により特定される各ＥＳＣＨ）における基地局装置１０からの所望信号と、を受信部４２から取得し、それらの信号に基づいて、各サブチャネルに係るＳＩＮＲ（Signal to Interference and Noise Ratio：信号対干渉および雑音電力比）を測定する。なお、ＡＳＣＨを除く最大１０７のＥＳＣＨそれぞれに係るＳＩＮＲの平均値を、各サブチャネルの通信品質としてもよい。また、サブチャネルごとのＳＮＲ（Signal to Noise Ratio：信号対雑音電力比）、ＣＩＮＲ（Carrier to Interference and Noise Ratio：搬送波対干渉および雑音電力比）、ＣＩＲ（Carrier to Interference Ratio：搬送波対干渉電力比）、ＣＮＲ（Carrier to Noise Ratio：搬送波対雑音電力比）、ＲＳＳＩ（受信信号強度）、通信レート、およびそれらの平均値などを、各サブチャネルの通信品質としてもよい。
【００５１】
ＭＡＰ取得部４６は、受信部４２から入力される基地局装置１０からの受信データよりＭＡＰ情報を取得し、サブチャネル割当拒否判定部５０に出力するものである。
【００５２】
送信データ量取得部４８は、図示しない外部接続装置や図示しないデータ入力部から入力される送信データに基づいて、移動局装置１２が次ＴＤＭＡフレームで基地局装置１０に送信するデータの量を取得するものである。
【００５３】
サブチャネル割当拒否判定部５０は、基地局装置１０との通信状態を示す情報に基づいて、ＥＳＣＨとして割り当て可能なサブチャネルのうち基地局装置１０からの割り当てを拒否するサブチャネルを判定するものである。ここで、判定に用いる基地局装置１０との通信状態を示す情報は、各サブチャネルの通信品質であってもよい。すなわち、サブチャネル割当拒否判定部５０は、通信品質測定部４４から各サブチャネル（たとえば、ＳＩＮＲの平均値）を取得するとともに、それら各通信品質が所定品質以上であるか否かを判定し、通信品質が所定品質未満であるサブチャネルについてはＥＳＣＨとしての割り当てを拒否するようにしてもよい。
【００５４】
また、サブチャネル割当拒否判定部５０が判定に用いる基地局装置１０との通信状態を示す情報は、基地局装置１０に送信するデータの量であってもよい。たとえば、サブチャネル割当拒否判定部５０は、送信データ量取得部４８から次ＴＤＭＡフレームにおける基地局装置１０への送信データ量を取得するとともに、その量のデータを送信するため必要となるＥＳＣＨだけを残し、その他のＥＳＣＨの割り当てを拒否（解除）するＥＳＣＨとして選出する。このとき、割り当てを拒否するＥＳＣＨと拒否しないＥＳＣＨとの選別は、各ＥＳＣＨの通信品質に基づいて行ってもよい。
【００５５】
ＲＭＡＰ等作成部５２は、サブチャネル割当拒否判定部５０によりＥＳＣＨとしての割り当てを拒否すると判定されたサブチャネルを示すＲＭＡＰ情報を作成し、送信部５４に出力するものである。具体的には、１０８のサブチャネルのうち、次ＴＤＭＡフレームにおいてＥＳＣＨとしての割り当てを拒否するサブチャネルに対応するビットを“１”とし、その他のビット“０”とした１０８ビットのビット列をＲＭＡＰ情報として作成する。また、ＲＭＡＰ等作成部５２は、アップリンクにおけるＰＨＹデータ（送信データ）を含むサブチャネルの数を示すＶビット（たとえば７ビットのビット列）を作成してもよい。すなわち、送信データ量取得部４８から取得した送信データ量（次ＴＤＭＡフレームで基地局装置１０に送信するデータの量）に基づいて、その送信データ量が０の場合は“０”であり、その他の場合は送信データを含むサブチャネルの数を示すＶビットを作成してもよい。さらに、ＲＭＡＰ等作成部５２は、当該送信データ量に基づいて、現在のアップリンク伝送帯域が十分であるか否かを判断し、十分である場合は“０”を、十分でない場合は以降の通信に必要なＥＳＣＨの数を示すＲＣＨ情報を作成する。
【００５６】
送信部５４は、シンボルマッピング部、ＩＦＦＴ部、Ｄ／Ａコンバータ、アップコンバータ、増幅器を含んで構成されており、図示しない外部接続装置や図示しないデータ入力部から入力される送信データから入力される基地局装置１０への送信データを、図４に示す所定のアップリンク用ＰＨＹフレーム構成に整形するとともに、整形された各送信データに応じた送信信号を生成し、アンテナ４０から送信するものである。送信データには、ＲＭＡＰ等作成部５２により作成されるＲＭＡＰ（拒否チャネル情報）なども含まれるため、送信部５４は、拒否チャネル情報通知手段としても機能する。
【００５７】
すなわち、送信データを複数のＰＨＹペイロードに分配し、それらＰＨＹペイロードを結合してなるＰＨＹデータユニットに、ＲＭＡＰ等作成部５２から入力されるＲＭＡＰ情報、Ｖビット、ＲＣＨ情報を含むＰＨＹヘッダを付加して所定のＰＨＹフレームを構成する。次に、そのＰＨＹフレームに係るデータを、１つのＡＳＣＨと現ＴＤＭＡフレームにおける１または複数のＥＳＣＨに係る複数のサブチャネルペイロードに分割し、サブチャネルごとの送信データを生成する。この際、ＲＭＡＰ情報を含むデータ列はＡＳＣＨに係るサブチャネルペイロードに割り当てられる。なお、送信部５４におけるその他の処理内容は、時分割多重処理および空間分割多重処理を除いて基地局装置１０の送信部３６における処理内容とほぼ共通するため、ここでは詳細な説明を割愛する。
【００５８】
ここで、図６のシーケンス図におけるＳ１１６からＳ１２４までの処理（ＥＳＣＨの割り当てを変更する処理）を説明する。なお、これらの処理は、基地局装置１０と移動局装置１２との通信が終了するまで繰り返し実行される。
【００５９】
移動局装置１２は、Ｓ１０４において通知されたＡＳＣＨとＳ１１２において通知されたＭＡＰ情報により特定される１または複数のＥＳＣＨとを用いて、基地局装置１０から送信されたＭＡＰ情報、通信データなどを受信する（Ｓ１１６）。次に、受信したＭＡＰ情報により特定される１または複数のＥＳＣＨそれぞれについて、次ＴＤＭＡフレームにおける割り当てを承諾するか否か判定する（Ｓ１１８）。そして、Ｓ１１８における判定結果に基づいて、ＲＭＡＰ情報、ＲＣＨ情報などを作成し、通信データなどとともに、上記ＡＳＣＨとＳ１１６において通信されたＭＡＰ情報により特定される１または複数のＥＳＣＨとを用いて、基地局装置１０に送信する（Ｓ１２０）。なお、Ｓ１１８におけるＥＳＣＨ割当許否判定処理は、図７のフロー図に基づいて後述する。
【００６０】
基地局装置１０は、ＲＭＡＰ情報、ＲＣＨ情報、通信データなどを受信すると、受信したＲＭＡＰ情報、ＲＣＨ情報などに基づいて、Ｓ１１６において送信したＭＡＰ情報を変更するか否かを決定する（Ｓ１２２）。そして、Ｓ１２２において決定された１または複数のＥＳＣＨを示すＭＡＰ情報を、通信データなどとともに、上記ＡＳＣＨとＳ１２０におけるＥＳＣＨと同じＥＳＣＨとを用いて、移動局装置１２に送信する（Ｓ１２４）。なお、Ｓ１２２におけるＥＳＣＨ割当変更処理は、図８のフロー図に基づいて後述する。
【００６１】
次に、図６に示す移動局装置１２のＥＳＣＨ割当許否判定処理（Ｓ１１８）を、図７のフロー図に基づいて説明する。
【００６２】
受信部４２が、基地局装置１０から送信されるＭＡＰ情報、通信データなどを含む信号を受信すると（Ｓ２００）、ＭＡＰ取得部４６は、受信部４２から入力される受信データよりＭＡＰ情報を取得し、サブチャネル割当拒否判定部５０に出力する。また、通信品質測定部４４は、受信部４２から入力される受信信号と通信に使用中の各ＥＳＣＨにおける基地局装置１０からの所望信号とに基づいて、各サブチャネルに係る通信品質（たとえば、ＳＩＮＲの平均値）を測定する（Ｓ２０２）。
【００６３】
次に、サブチャネル割当拒否判定部５０は、ＭＡＰ取得部４６から次ＴＤＭＡフレームで使用するＥＳＣＨを示す最新のＭＡＰ情報を取得し、そのＭＡＰ情報により特定される１または複数のＥＳＣＨそれぞれについて、通信品質測定部４４により測定された通信品質が所定品質以上であるか否かを判断する（Ｓ２０４）。すべてのＥＳＣＨが所定品質以上の通信品質を有する場合、サブチャネル拒否判定部５０は、拒否するＥＳＣＨはないと判定する。この場合、ＲＭＡＰ等作成部５２は、すべてのビットが“０”であるＲＭＡＰ情報を作成する（Ｓ２０６）。一方、Ｓ２０４において、通信品質が所定品質未満のＥＳＣＨが１つでもある場合は、当該ＥＳＣＨに対応するビットを“１”とし、その他のビットを“０”としたＲＭＡＰ情報を作成する（Ｓ２１４）。
【００６４】
さらに、ＲＭＡＰ等作成部５２は、送信データ量取得部４８から取得した送信データ量に基づいて、現在のアップリンク伝送帯域が十分であるか否かを判断する（Ｓ２０８）。十分な伝送帯域がある場合は、“０”を示すＲＣＨ情報を作成する（Ｓ２１０）。一方、伝送帯域が不足している場合は、以降の通信に必要なＥＳＣＨの数を示すＲＣＨ情報を作成する（Ｓ２１６）。
【００６５】
最後に、送信部５４は、ＲＭＡＰ等作成部５２により作成されたＲＭＡＰ情報、ＲＣＨ情報を含む送信データを構成し、基地局装置１０に送信する（Ｓ２１２）。
【００６６】
次に、図６に示す基地局装置１０のＥＳＣＨ割当変更処理（Ｓ１２２）を、図８フロー図に基づいて説明する。
【００６７】
受信部２２が、移動局装置１２から送信されるＲＭＡＰ情報、ＲＣＨ情報、通信データなどを含む信号を受信すると（Ｓ３００）、ＲＭＡＰ等取得部２６は、受信部２２から入力される受信データよりＲＭＡＰ情報、ＲＣＨ情報などを取得し、サブチャネル割当部３２に出力する。また、サブチャネル割当部３２は、ＭＡＰ記憶部２８から当該移動局装置１２に通知したＭＡＰ情報を読み出すとともに（Ｓ３０２）、キャリアセンス処理部２４からキャリアセンス結果を取得する（Ｓ３０４）。
【００６８】
次に、サブチャネル割当部３２は、ＲＭＡＰ等取得部２６から入力されるＲＭＡＰ情報のビットがすべて“０”であるか否かを判断する（Ｓ３０６）。すべてのビット“０”である場合、ＲＭＡＰ等取得部２６から入力されるＲＣＨ情報が示す値が“０”であるか否かを判断し、“０”であれば、Ｓ３０４において取得したキャリアセンス結果や他の移動局装置１２との通信状況などに応じて、現在割り当てているＥＳＣＨを維持できるか否かを判断する（Ｓ３１０）。現在のＥＳＣＨを維持できると判断した場合、ＭＡＰ作成部３４は、Ｓ３０２において読み出されたＭＡＰ情報を、更新することなくそのまま送信部３６に出力する。
【００６９】
Ｓ３０６においてＲＭＡＰ情報の少なくとも１つのビットが“１”である場合、Ｓ３０８においてＲＣＨ情報が示す数が“１”以上である場合、またはＳ３１０において現在のＥＳＣＨを維持できないと判断した場合、サブチャネル割当部３２は、移動局装置１２が割り当てを拒否するＥＳＣＨを示すＲＭＡＰ情報、移動局装置１２が必要とするＥＳＣＨの数を示すＲＣＨ情報、各空きサブチャネルにおける妨害波の強度を示すキャリアセンス結果などに基づいて、移動局装置１２に割り当てるＥＳＣＨを変更する。そして、ＭＡＰ作成部３４は、サブチャネル割当部３２が新たに割り当てた１または複数のＥＳＣＨを示すＭＡＰ情報を作成し、送信部３６に出力するとともに、作成したＭＡＰ情報をＭＡＰ記憶部２８に記憶させる（Ｓ３１６）。
【００７０】
最後に、送信部３６は、ＭＡＰ作成部３４から入力されるＭＡＰ情報を含む送信データを構成し、移動局装置１２に送信する（Ｓ３１２）。
【００７１】
上記実施形態によれば、移動局装置１２側の通信状態に応じて、その移動局装置１２に割り当てる通信チャネルを適宜変更することができる。
【００７２】
なお、本発明は、上記実施形態に限定されるものではなく、種々の変形実施が可能である。たとえば、以上の説明では、ＯＦＤＭＡを採用した移動体通信システムに本発明を適用したが、本発明は、その他のマルチチャネル通信方式を採用する移動体通信システムにも適用可能である。
【００７３】
また、上記実施形態では、ＲＭＡＰ情報の割り当てを拒否するサブチャネルを特定するための情報（割当許否チャネル情報）として用いたが、逆に移動局装置１２が積極的にＥＳＣＨとして割り当てを求めるサブチャネルを特定するための情報（割当要求チャネル情報）としてもよい。たとえば、「ＲＭＡＰ情報における“０”のビットは、移動局装置１２がＥＳＣＨとして割り当てを求めるサブチャネルに対応するものである」と規定することにより実現可能である。
【００７４】
また、本発明における割当チャネル情報、許否チャネル情報、送信データ量情報などは、上記実施形態におけるＭＡＰ情報、ＲＭＡＰ情報、Ｖビットなどと異なるデータ形式にしてよいのはもちろんである。
【図面の簡単な説明】
【００７５】
【図１】本発明の実施形態に係る移動体通信システムの全体構成図である。
【図２】本発明の実施形態に係る基地局装置および移動局装置の機能ブロック図である。
【図３】ＴＤＭＡ／ＴＤＤによるタイムスロット構成およびＯＦＤＭＡによるサブチャネル構成の一例を示す図である。
【図４】アップリンクにおけるＰＨＹフレーム構成の一例を示す図である。
【図５】ＲＭＡＰ情報（拒否チャネル情報）の一例を示す図である。
【図６】基地局装置と移動局装置との間の通信に係る一連の処理を示すシーケンス図である。
【図７】移動局装置のＥＳＣＨ割当許否判定処理を示すフロー図である。
【図８】基地局装置のＥＳＣＨ割当変更処理を示すフロー図である。
【符号の説明】
【００７６】
１  移動体通信システム、１０  基地局装置、１２  移動局装置、２０  アダプティブアレイアンテナ、２２，４２  受信部、２４  キャリアセンス処理部、２６  ＲＭＡＰ等取得部、２８  ＭＡＰ記憶部、３０，４８  送信データ量取得部、３２  サブチャネル割当部、３４  ＭＡＰ作成部、３６，５４  送信部、４０  アンテナ、４４  通信品質測定部、４６  ＭＡＰ取得部、５０  サブチャネル割当拒否判定部、５２  ＲＭＡＰ等作成部。
【図１】
2008072285.tif 000003
【図２】
2008072285.tif 000004
【図３】
2008072285.tif 000005
【図４】
2008072285.tif 000006
【図５】
2008072285.tif 000007
【図６】
2008072285.tif 000008
【図７】
2008072285.tif 000009
【図８】
2008072285.tif 000010